(57)【特許請求の範囲】
【請求項１】
法面の上下方向に向けられて相互に平行に配された複数の縦梁と、該縦梁と交差する方向に向けられて相互に平行に配された複数の横梁とから格子状に形成され、前記法面に定着される法面保護工において、前記法面に定着された前記横梁を前記縦梁よりも低く形成するとともに、前記横梁の上部に位置し且つ前記法面と平行な面のうち少なくとも一部に、前記横梁の長手方向に沿って相互に平行に配された多数の線状の凸部により形成される凹凸部、又は、線状若しくはランダムに配された多数の突起若しくは凹部により形成される凹凸部を設け、前記縦梁の上部に位置し且つ前記法面と平行な面を平坦面とすることを特徴とする法面保護工。
【発明の詳細な説明】
【０００１】
【発明の属する技術分野】
本発明は、切り通し道路の側方などに形成される法面を保護する法面保護工に関する。
【０００２】
【従来の技術】
従来、この種の法面保護工は、法面に沿って水平方向に形成された横梁と、この横梁と直角に交差して法面に沿って上下方向に形成された縦梁とからなり、前記縦梁と前記横梁とは幅及び高さが同等であって、全体として格子状をなしていた。
【０００３】
このような法面保護工に用いられる縦梁及び横梁は、一般に断面矩形の四角柱状であることが多い。したがって、両梁が法面に定着された際には、両梁の上面は前記法面に対して平行となり、両梁の側面は前記法面に対して垂直となる。
【０００４】
【発明が解決しようとする課題】
しかしながら、従来の法面保護工においては、前記横梁の上面が前記法面に対して平行であるので、該上面が光を反射して前記横梁が視覚的に強調される。その結果、従来の法面保護工は格子状であることが視覚的に強調されて、見た目に複雑で人工的な印象を強く感じさせるという不具合があった。
【０００５】
本発明は、上記のような従来技術の問題点を解決するためになされたものであり、その目的は、交差する両梁のうち横梁の視覚的な印象を低くすることにより、縦梁を視覚的に強調して見せて、法面にすっきりした印象を与え、程良い秩序を有しているような印象を与えることにある。
【０００６】
【課題を解決するための手段】
前記目的を達成するため、本発明は次のような構成からなる。すなわち、本発明の法面保護工は、法面の上下方向に向けられて相互に平行に配された複数の縦梁と、該縦梁と交差する方向に向けられて相互に平行に配された複数の横梁とから格子状に形成され、前記法面に定着される法面保護工において、前記法面に定着された前記横梁を前記縦梁よりも低く形成するとともに、前記横梁の上部に位置し且つ前記法面と平行な面のうち少なくとも一部に、前記横梁の長手方向に沿って相互に平行に配された多数の線状の凸部により形成される凹凸部、又は、線状若しくはランダムに配された多数の突起若しくは凹部により形成される凹凸部を設け、前記縦梁の上部に位置し且つ前記法面と平行な面を平坦面とすることを特徴とする。
【０００７】
このような構成であれば、前記横梁の上部に位置し且つ前記法面と平行な面に設けた前記凹凸部により、光の反射が抑えられるので、前記横梁の視覚的な印象が低下する。その結果、前記縦梁が視覚的に強調されて見えるので、前記法面にすっきりした印象を与え、程良い秩序を有しているような印象を与えることができる。
【０００８】
【発明の実施の形態】
本発明に係る法面保護工の実施の形態を、図面を参照しながら詳細に説明する。図１は、本発明の法面保護工の一実施形態を示す一部を切欠した斜視図であり、図２は、横梁３の上面３ａに設けられた凹凸部４を説明する図１の部分拡大図である。
【０００９】
切り通しの法面１に法面保護工が施されている。かかる法面１には、四角柱状（断面矩形）の縦梁２が相互に平行且つ所定間隔で多数設けられているとともに、縦梁２よりも若干小型の四角柱状（断面矩形）の横梁３も、相互に平行且つ所定間隔で多数設けられている。
横梁３はプレキャストコンクリート部材から構成されていて、法面１において水平方向に延びている。なお、横梁３は鋼材でもよいし、場所打ちのコンクリートや主筋及びこれに巻き付けた金網を補強筋とした吹きつけコンクリートにより構成してもよい。また、１本の梁により１本の横梁３を形成してもよいし、複数の小型の梁から１本の横梁３を形成してもよい。
【００１０】
この横梁３の上面３ａは法面１と平行をなしており、その全面に凹凸部４が設けられている。すなわち、上面３ａには多数の線状の凸部３ｂが横梁３の長手方向に沿って相互に平行に（縞模様状に）設けられていて（図２参照）、上面３ａが凹凸に処理されている（くし引き仕上げ）。なお、凹凸部４は図２の例に限定されるものではなく、上面３ａに多数の突起又は凹部を線状又はランダムに設けることにより形成してもよい。
【００１１】
一方、縦梁２は場所打ちのコンクリートからなり、法面１の上下方向に延びている。なお、縦梁２は主筋及びこれに巻き付けた金網を補強筋とした吹きつけコンクリートによって形成することもできる。また、横梁３と同様に、１本の梁により１本の縦梁２を形成してもよいし、複数の小型の梁から１本の縦梁２を形成してもよい。
【００１２】
縦梁２は横梁３と直交して法面１に配置され、よってこの実施形態では縦梁２と横梁３とに囲まれた多数の矩形の枠が形成される。なお、縦梁２及び横梁３の一方又は両方を若干傾斜させて、斜め格子状に法面１に配置してもよい。その場合は、縦梁２と横梁３とに囲まれて形成される枠は平行四辺形となる。
縦梁２と横梁３とはその交差部において一体に結合していて、さらに、図示しないアンカーにより縦梁２及び横梁３が法面１に固定されている。
【００１３】
法面１には厚層基材用のラス網５が敷設され、その上に縦梁２用の型枠が法面１に沿って上下方向に長く配置されるとともに、プレキャストコンクリート部材からなる横梁３が配置される。前記型枠内には縦梁２のための主筋６と、これを取り巻く帯筋７とが配筋され、当該型枠内に生コンクリートが打設される。
生コンクリートを前記型枠の上部に投入すれば、前記型枠は上下方向に連続しているため、重力と生コンクリートの流動性とを利用して、前記型枠内の下部に至るまで生コンクリートを移動させることができる。このため、シャベル等の道具を用いて生コンクリートを型枠内で均す作業に大きな力を必要とすることなく、コンクリートの打設を行うことができる。
【００１４】
かかるコンクリートの硬化によって縦梁２の生成と、縦梁２と横梁３との接合を行うことができる。
前記コンクリートの硬化後に、縦梁２と横梁３とに囲まれた法面１にはラス網５上に覆土８を施し、必要に応じてここに植物を植えつける。覆土８には肥料と草本類の種を混入しておけば、後日、法面１上に草本類が成長することになる。なお、覆土８には草本類や木本類の種を混入しておく他、これに苗木を植えつけてもよいことは勿論である。
【００１５】
このように本実施形態の法面保護工によれば、凹凸部４により光の反射が抑えられること、及び横梁３が縦梁２よりも低く形成されていることから、横梁３の視覚的な印象は低くなる。その結果、縦梁２が視覚的に強調されて見えるので、法面１にすっきりした印象を与え、程良い秩序を有しているような印象を与えることができる。
【００１６】
特に、縦梁２と横梁３とに囲まれた法面１に草本類が繁ることになると、高さが低く且つ上面３ａの凹凸部４によりツタ類などの草本類が繁殖しやすくなっている横梁３が草本類に隠れることになるから、縦梁２のみが見えることになって、前記のすっきりした印象はさらに強化される。
このような横梁３の視覚的な印象を低下させて縦梁２を視覚的に強調して見せる法面保護工は、不整形な法面に対しても有効である。
【００１７】
なお、本実施形態は本発明の一例を示したものであって、本発明の目的が達成されるならば、本発明は本実施形態に限定されるものではない。
【００１８】
【発明の効果】
以上説明したように、本発明の法面保護工は、横梁の視覚的な印象が低くなり、その結果、縦梁が視覚的に強調されて見えるので、法面にすっきりした印象を与え、程良い秩序を有しているような印象を与えることができる。
【図面の簡単な説明】
【図１】本発明の法面保護工の一実施形態を示す一部を切欠した斜視図である。
【図２】凹凸部を説明する部分拡大図である。
【符号の説明】
１    法面
２    縦梁
３    横梁
３ａ  上面
４    凹凸部
【図１】
0004416910.tif 000002
【図２】
0004416910.tif 000003